(57)【要約】【課題】テレビ受信機などの電子機器のリモコン装置の表示部に、外部機器の接続状態に対して自動的に連動した表示ができるようにする。【解決手段】入力部７の各入力端子から映像・音声のソースを選択する信号検出経路選択部４と、通信部８を介し外部機器２０，３０に対して機器情報送信要求と接続された入力端子を判別するための接続端子判別信号の出力要求とを送信する制御部５と、を備えるテレビ受信機２と、機器情報送信要求を受けて機器情報をテレビ受信機２に送信し、接続端子判別信号の出力要求を受けて接続端子判別信号を映像・音声ケーブルを介してテレビ受信機２へ送信する外部機器２０，３０と、テレビ受信機２と通信可能に接続され、テレビ受信機２に接続された外部機器２０，３０の接続情報を表示する表示部１２を備えるリモコン装置１０と、を有する。【選択図】図１
2008252326.tif 000002
【特許請求の範囲】
【請求項１】
入力部の各入力端子から映像・音声のソースを選択する信号検出経路選択部と、通信部を介し外部機器に対して機器情報送信要求と接続された入力端子を判別するための接続端子判別信号の出力要求とを送信する制御部と、を備える電子機器と、
前記機器情報送信要求を受けて機器情報を前記テレビ受信機に送信し、前記接続端子判別信号の出力要求を受けて前記接続端子判別信号を映像・音声ケーブルを介して前記電子機器へ送信する外部機器と、
前記電子機器と通信可能に接続され、前記電子機器に接続された外部機器の接続情報を表示する表示部を備えるリモコン装置と、
を有することを特徴とする電子機器に接続された外部機器の接続情報認識システム。
【請求項２】
前記電子機器は、前記接続情報を関連付けされた接続情報テーブルに追加して保存する記憶部を備えることを特徴とする請求項１に記載の電子機器に接続された外部機器の接続情報認識システム。
【請求項３】
前記機器情報は、少なくとも前記外部機器の機種名及び機能名を含む情報であることを特徴とする請求項１又は２に記載の電子機器に接続された外部機器の接続情報認識システム。
【請求項４】
前記接続端子判別信号は、コンテンツの映像・音声信号と区別がつく信号であることを特徴とする請求項１〜３の何れかに記載の電子機器に接続された外部機器の接続情報認識システム。
【請求項５】
前記電子機器は、テレビ受信機であることを特徴とする請求項１〜４の何れかに記載の電子機器に接続された外部機器の接続情報認識システム。
【請求項６】
電子機器の通信部の全通信端子をスキャンして、何れかの通信端子に新たに外部機器が接続されたか否かを検出するステップと、
前記通信部を介して機器情報送信要求を新たに接続された前記外部機器に対して送信するステップと、
前記外部機器が接続された入力端子を判別するために、前記外部機器に接続端子判別信号の出力要求を送信するステップと、
前記電子機器の全入力端子を順番に選択して、前記出力要求に応じて前記外部機器から出力された接続端子判別信号が含まれている入力端子を検出するステップと、
前記機器情報送信要求に応じて前記外部機器から出力された機器情報と接続された入力端子名とを含む接続情報をリモコン装置へ送信し、リモコン装置の表示部に前記機器情報を表示させるステップと、
を含むことを特徴とする電子機器に接続された外部機器の接続情報認識方法。
【請求項７】
更に、前記接続情報を関連付けされた接続情報テーブルに追加して記憶部に保存するステップを含むことを特徴とする請求項６に記載の電子機器に接続された外部機器の接続情報認識方法。
【発明の詳細な説明】
【技術分野】
【０００１】
電子機器に外部機器を接続するときの外部機器の接続情報認識システム及びその認識方法に関する。
【背景技術】
【０００２】
テレビ受信機などの電子機器に付属するリモコン装置は、その使い勝手をよくするために、各種の工夫が施されている。
例えば、特許文献１に記載されたリモコン装置は、タッチパネルとなる表示部を備えており、電子機器を制御する各種コマンドに対応する各種のボタンをこの表示部に表示することができる。
【特許文献１】特開２００５−２６９４３８
【発明の開示】
【発明が解決しようとする課題】
【０００３】
ところが、従来のリモコン装置は、上記特許文献１に記載のリモコン装置のように、表示部を備えたものは存在するが、このリモコン装置が制御するテレビ受信機などの電子機器に対する外部入力の表示は、その端子名として例えば、「入力１、入力２、入力３、・・・」などの表示がなされている。
【０００４】
どの入力端子にどの機器が接続されているかは、ユーザが接続した状態を覚えていなければならない（例えば、入力１はＡ社製ＨＤＤ／ＤＶＤレコーダ、入力２はＢ社製ＶＴＲ、入力３はＣ社製衛星放送チューナ、など）。このため、接続状態を把握していないユーザが所望の外部機器を使用する場合は、接続状態を把握したユーザに聞くか電子機器の結線を確かめるなどする必要がある。
【０００５】
また、接続状態を把握し易くするため、端子名の表示を「ＶＴＲ１、ＶＴＲ２、ＤＶＤ、ＣＤ」など機器の種類を示す記号としたり、ユーザが予め端子毎に表示を設定できるようにした電子機器もある。
【０００６】
ところが、機器を他の入力端子に接続し直したり、機器の買い増しや買い換えにより接続する外部機器を変えるなどした場合は、外部機器の接続状態をその都度覚え直さなければならない。また、端子名の変更が可能な機器の場合は、その都度ユーザが端子の表示名を変更する必要があり、煩雑である。
【０００７】
本発明が解決しようとする課題（目的）としては、テレビ受信機などの電子機器のリモコン装置の表示部に、外部機器の接続状態に対して自動的に連動した表示ができるようにする電子機器に接続された外部機器の接続情報の認識システム及びその認識方法を提供することが一例として挙げられる。
【課題を解決するための手段】
【０００８】
上記課題を解決するために、請求項１に記載の電子機器に接続された外部機器の接続情報の認識システムは、入力部の各入力端子から映像・音声のソースを選択する信号検出経路選択部と、通信部を介し外部機器に対して機器情報送信要求と接続された入力端子を判別するための接続端子判別信号の出力要求とを送信する制御部と、を備える電子機器と、前記機器情報送信要求を受けて機器情報を前記テレビ受信機に送信し、前記接続端子判別信号の出力要求を受けて前記接続端子判別信号を映像・音声ケーブルを介して前記電子機器へ送信する外部機器と、前記電子機器と通信可能に接続され、前記テレビ受信機に接続された外部機器の接続情報を表示する表示部を備えるリモコン装置と、を有することを特徴とする。
【０００９】
請求項６に記載の電子機器に接続された外部機器の接続情報の認識方法は、電子機器の通信部の全通信端子をスキャンして、何れかの通信端子に新たに外部機器が接続されたか否かを検出するステップと、前記通信部を介して機器情報送信要求を新たに接続された前記外部機器に対して送信するステップと、前記外部機器が接続された入力端子を判別するために、前記外部機器に接続端子判別信号の出力要求を送信するステップと、前記電子機器の全入力端子を順番に選択して、前記出力要求に応じて前記外部機器から出力された接続端子判別信号が含まれている入力端子を検出するステップと、前記機器情報送信要求に応じて前記外部機器から出力された機器情報と接続された入力端子名とを含む接続情報をリモコン装置へ送信し、リモコン装置の表示部に前記機器情報を表示させるステップと、を含むことを特徴とする。
【発明を実施するための最良の形態】
【００１０】
本発明に係る電子機器に接続された外部機器の接続情報認識システムは、以下の電子機器、外部機器、リモコン装置を有し、当該電子機器に接続された外部機器の接続情報を認識する接続情報認識システムである。
・入力部の各入力端子から映像・音声のソースを選択する信号検出経路選択部と、通信部を介し外部機器に対して機器情報送信要求と接続された入力端子を判別するための接続端子判別信号の出力要求とを送信する制御部と、を備える電子機器。
・前記機器情報送信要求を受けて機器情報を前記テレビ受信機に送信し、前記接続端子判別信号の出力要求を受けて前記接続端子判別信号を映像・音声ケーブルを介して前記電子機器へ送信する外部機器。
・前記電子機器と通信可能に接続され、前記電子機器に接続された外部機器の接続情報を表示する表示部を備えるリモコン装置。
上記構成により、電子機器のリモコン装置の表示部に、外部機器の接続状態に対して自動的に連動した表示ができるようにすることができる。
好ましくは、前記電子機器は前記接続情報を関連付けされた接続情報テーブルに追加して保存する記憶部を備える。これにより、接続情報を関連付けされた接続情報テーブルを記憶部に保存することにより、外部機器から得た機器情報や接続端子の情報をリモコン装置の表示部の表示位置やリモコンコードなどに関連付けた接続情報テーブルの情報をリモコン装置に送信することができる。
また、好ましくは、前記機器情報は少なくとも前記外部機器の機種名及び機能名を含む情報である。これにより、リモコン装置の表示部に電子機器に接続された機種名及び機能名が表示できるので、ユーザはリモコン装置の表示部を見るだけで、外部機器の接続状況を容易に把握することができる。
また、好ましくは、前記接続端子判別信号は、コンテンツの映像・音声信号と区別がつく信号である。これにより、外部機器が接続された接続端子（入力端子）を容易に判別することができる。
更に、好ましくは、前記電子機器はテレビ受信機であることにより、テレビ受信機を使用するときに、リモコン装置の表示部に、外部機器の接続状態に対して自動的に連動した表示ができるようにすることができる。
【００１１】
また、本発明に係る電子機器に接続された外部機器の接続情報認識方法は、電子機器、外部機器、リモコン装置を有し、以下のステップで当該電子機器に接続された外部機器の接続情報を認識する接続情報認識方法である。
・電子機器の通信部の全通信端子をスキャンして、何れかの通信端子に新たに外部機器が接続されたか否かを検出するステップ。
・前記通信部を介して機器情報送信要求を新たに接続された前記外部機器に対して送信するステップ。
・前記外部機器が接続された入力端子を判別するために、前記外部機器に接続端子判別信号の出力要求を送信するステップ。
・前記電子機器の全入力端子を順番に選択して、前記出力要求に応じて前記外部機器から出力された接続端子判別信号が含まれている入力端子を検出するステップ。
・前記機器情報送信要求に応じて前記外部機器から出力された機器情報と接続された入力端子名とを含む接続情報をリモコン装置へ送信し、リモコン装置の表示部に前記機器情報を表示させるステップ。
上記方法により、電子機器のリモコン装置の表示部に、外部機器の接続状態に対して自動的に連動した表示ができる。
更に、好ましくは、前記接続情報を関連付けされた接続情報テーブルに追加して記憶部に保存するステップを含む。これにより、接続情報を関連付けされた接続情報テーブルを記憶部に保存することにより、外部機器から得た機器情報や接続端子の情報をリモコン装置の表示部の表示位置やリモコンコードなどに関連付けた接続情報テーブルの情報をリモコン装置に送信することができる。
【００１２】
以下、本発明に係る電子機器に接続された外部機器の接続情報認識システム及び認識方法の実施の形態について、電子機器がテレビ受信機である一例を挙げ、図面を参照して詳細に説明する。図１は、本発明の実施の形態に係る電子機器に接続された外部機器の接続情報認識システムの構成図である。
【００１３】
本実施の形態に係る外部機器の接続情報認識システム１は、電子機器であるテレビ受信機２と、テレビ受信機２のチャンネル切り替えや音量調整等の遠隔操作をするためのリモコン装置１０と、テレビ受信機２に接続して映像・音声を供給する再生機器や録画再生機器などである外部機器２０，３０などにより構成されている。
【００１４】
テレビ受信機２は、画面表示部３と、信号検出経路選択部４と、制御部５と、記憶部６と、入力部７と、通信部８と、リモコン通信部９と、を備えている。
【００１５】
リモコン装置１０は、通信部１１と、表示部と、キー入力部１３と、制御部１４と、記憶部１５と、を備えている。
【００１６】
外部機器２０は、信号出力部２１と、通信部２２と、コンテンツ送出部２３と、制御部２４と、記憶部２５と、を備えている。外部機器３０は、信号出力部３１と、通信部３２と、コンテンツ送出部３３と、制御部３４と、記憶部３５と、を備えている。
【００１７】
なお、テレビ受信機２に接続される外部機器の数は上記の２つに限定されるものではなく、１つ以上、かつ、テレビ受信機２の入力部７の入力端子の数以下の外部機器を接続することができる。
【００１８】
画面表示部３は、放送番組などの映像を表示するディスプレイ部分であり、ＣＲＴ、液晶、プラズマディスプレイなどである。
【００１９】
信号検出経路選択部４は、入力部７の各入力端子（１）、入力端子（２）、入力端子（３）から映像・音声のソースを選択し、画面表示部３やスピーカ（図示せず）等に出力する。
【００２０】
制御部５は、リモコン通信部９と信号の送受信を行うと共に、通信部８の通信端子に接続された各外部機器２０，３０と信号の送受信を制御する。例えば、通信部８を介し外部機器２０，３０に対して機器情報送信要求の信号を送信したり、外部機器２０，３０が接続された入力端子を判別するための接続端子判別信号の出力要求の信号を外部機器２０，３０に送信したりする。
【００２１】
通信部８は、複数の通信端子（１）、通信端子（２）、通信端子（３）を備え、通信ケーブルで各外部機器２０，３０の通信部２２，３２と接続される。なお、通信手段を無線としてもよい。
【００２２】
記憶部６は、制御部５から送信されたデータを記憶し、記憶されたデータを制御部５へ送信する。リモコン通信部９は、リモコン装置１０からの制御コマンドを受信し、テレビ受信機２からの外部機器接続情報等を送信する。
【００２３】
リモコン装置１０の通信部１１は、テレビ受信機２からの外部機器接続情報等を受信し、チャンネル切り替えや音量調整等の制御コマンドをテレビ受信機２へ送信する。このための通信手段としては、有線または無線の任意の通信手段を利用することができ、例えば、赤外線通信や近距離無線通信などである。
【００２４】
リモコン装置１０の表示部１２は、液晶パネルや有機ＥＬパネルなどで構成された文字や図形等を表示する部分であり、入力端子とそれに接続された外部機器名や外部機器の機能名などの外部機器接続情報を表示する。
【００２５】
キー入力部１３は、チャンネル切り替えや音量調整等の通常のテレビ用のリモコン機能に加えて、テレビ受信機２から出力する映像・音声を所定の外部機器からの入力に切り替える入力切り替えキー１３ａ，１３ｂ，１３ｃ（後述の図５参照）も備えている。
【００２６】
リモコン装置１０の制御部１４は、キー入力部１３からの制御信号や通信部からの信号を受信して表示部１２に表示するデータを記憶部１５から取り出して表示させるように制御する。記憶部１５は、制御部１４から送信されたデータを記憶し、記憶されたデータを制御部１５へ送信する。
【００２７】
外部機器２０（３０）で再生されたコンテンツの映像・音声は、コンテンツ送出部２３（３３）から送出され、の信号出力部２１（３１）の出力端子より外部に出力される。
通信部２２（３２）は、テレビ受信機２の通信部８の通信端子に接続され、制御部２４（３４）からの制御信号が送信される。
【００２８】
制御部２４（３４）は、テレビ受信機２から送信された機器情報送信要求を受けて、記憶部２５（３５）に記憶された機種名や機能名のデータ、リモコンコードの識別信号等の機器情報を通信部２２（３２）を介して、テレビ受信機２へ送信するように制御したり、テレビ受信機２から送信された接続端子判別信号の出力要求を受けて、接続端子判別信号を映像・音声ケーブルを介してテレビ受信機２へ送信するように、コンテンツ送出部２３（３３）や信号出力部２１（３１）を制御したりする。
【００２９】
なお、上記接続端子判別信号は、通常のコンテンツの映像・音声信号と区別がつく信号であれば任意の信号でよく、アナログ信号、デジタル信号のどちらでもかまわない。
【００３０】
次に、本実施の形態に係る外部機器の接続情報認識動作の一例を図２及図３を用いて説明する。図２は、テレビ受信機側の動作を示すフローチャートであり、図３は、外部機器側の動作を示すフローチャートである。
【００３１】
なお、ここでは、一例として外部機器２０が接続された場合について説明する。
テレビ受信機２の電源投入が検知される（ステップＳ１）と外部機器の接続情報認識動作が開始される。
ここで、例えば、外部機器２０の映像・信号ケーブルがテレビ受信機２の入力端子（１）に、制御信号ケーブルが通信端子（１）に、それぞれ接続される（ステップＳ２１）。
【００３２】
テレビ受信機２では、通信部８の全通信端子をスキャンして、何れかの通信端子に新たに外部機器が接続されたか否かを検出する（ステップＳ２）。
制御部５は、通信部８（通信端子（１））を介して機器情報送信要求を新たに接続された外部機器２０に対して送信する（ステップＳ３）。
【００３３】
外部機器２０の制御部２４は、テレビ受信機２からの機器情報送信要求が受信されたか否かを検出し（ステップＳ２２）、検出された場合（ステップＳ２２：Ｙｅｓ）は、機器情報（機種名や機能名のデータ、リモコンコードの識別信号等）を通信部２２を介してテレビ受信機２へ送信する（ステップＳ２３）。
【００３４】
また、テレビ受信機２の制御部５は、外部機器２０が接続された入力端子を判別するために、外部機器２０に接続端子判別信号の出力要求を通信部８を介して送信する（ステップＳ４）。
【００３５】
外部機器２０の制御部２４は、通信部２２によりテレビ受信機２からの接続端子判別信号の出力要求が受信されたか否かを検出し（ステップＳ２４）、検出された場合（Ｙｅｓ）は、接続端子判別信号を信号出力部２１より映像・音声ケーブルを介してテレビ受信機２の入力端子（１）へ送信する（ステップＳ２５）。
【００３６】
テレビ受信機２では、まずＮ＝１とする（ステップＳ５）、そして、信号検出経路選択部４が入力信号の経路を入力端子（Ｎ）に切り替える（ステップＳ６）。次に、制御部５は選択された入力端子（Ｎ）からの信号に接続端子判別信号が含まれているか否かを検出する（ステップＳ７）。
【００３７】
選択された入力端子（Ｎ）からの信号に接続端子判別信号が含まれていない場合は（ステップＳ７：Ｎｏ）、Ｎ＝Ｎ＋１とする（ステップＳ８）。Ｎがテレビ受信機２の全入力端子数となったか否か、即ち、全ての入力端子が確認されたか否かを判定する（ステップＳ９）。Ｎがテレビ受信機２の全入力端子未満の場合（ステップＳ９：Ｎｏ）は、ステップＳ６に戻り入力信号の経路を入力端子（Ｎ）に切り替える。Ｎがテレビ受信機２の全入力端子数である場合（Ｙｅｓ）は、全ての入力端子の信号に接続端子判別信号が含まれていなかったので、エラー処理を行い（ステップＳ１０）、ステップＳ２の外部機器接続の監視状態に戻る。
【００３８】
ステップＳ７において、接続端子判別信号が検出された場合（ステップＳ７：Ｙｅｓ）は、テレビ受信機２は外部機器２０に、通信部８（通信端子（１））を介して接続端子判別信号停止要求を送信する（ステップＳ１１）。
【００３９】
外部機器２０の制御部２４は、通信部２２によりテレビ受信機２からの接続端子判別信号停止要求が受信されたか否かを検出し（ステップＳ２６）、検出された場合（Ｙｅｓ）は、接続端子判別信号の送信を停止する（ステップＳ２７）。
【００４０】
テレビ受信機２の制御部５は、接続された外部機器の機種名や機能などの情報、外部機器が接続された入力端子名、表示部１２における表示位置、対応するリモコンボタンなど今回の動作で得られた情報を、関連付けされた外部機器の接続情報テーブル（図４参照）に追加して、記憶部６に保存する（ステップＳ１２）。
【００４１】
なお、図４は外部機器の接続情報テーブルの一例であり、この接続情報テーブルに保存された情報は、例えば、テレビ受信機２の各入力端子（１）、（２）、（３）に接続された外部機器の機種名、機能、（外部機器のメーカーや機種固有の）リモコンコード、リモコン装置１０の表示部１２における表示位置、対応するリモコンボタンなどである。
【００４２】
そして、上記テーブルの外部機器の接続情報を、リモコン通信部９を介して、リモコン装置１０へ送信する（ステップＳ１３）。通信部１１により、外部機器の接続情報を受信したリモコン装置１０は、制御部１４の制御に基づいて、表示部１２にこの外部機器の接続情報が表示される。これで、一連の外部機器の接続情報認識動作が終了し、ステップＳ２の外部機器接続の監視状態に戻る。
【００４３】
更に、他の外部機器（例えば、外部機器３０）が接続された場合、上述のステップＳ２からのフローにより、他の外部機器の接続情報の認識が実行される。このようにして、新たに外部機器が接続されるごとに、外部機器の接続情報の認識が実行される。
【００４４】
なお、テレビ受信機２の通信部８（通信端子）から、外部機器との接続ケーブルを外したことを検知して、外部機器の接続情報テーブルから接続を外した外部機器の情報が削除されるようにしてもよい。
【００４５】
また、テレビ受信機２の電源がオフとなったときに、上記の外部機器の接続情報テーブルのデータを全て消去するようにしてもよい。あるいは、記憶部６を不揮発性メモリとして、テレビ受信機２の電源がオフになってもデータを保存しておくようにしてもよい。
【００４６】
本実施の形態に係る外部機器の接続情報認識動作によって、リモコン装置１０の表示部１２に表示された表示の一例を図５に示す。
図５の表示例においては、入力端子（１）に機種名がＤＶＲ−ＸＸＸＸであるＤＶＤレコーダ（機能名）、入力端子（２）に機種名がＶＴＲ−ＹＹＹＹであるビデオデッキ（機能名）、がそれぞれ接続されている場合の表示例である。
【００４７】
なお、入力端子（１）に対応するリモコンボタンＡ（キー入力部１３における入力切り替えキー１３ａ）、入力端子（２）に対応するリモコンボタンはＢ（キー入力部１３における入力切り替えキー１３ｂ）、入力端子（３）に対応するリモコンボタンはＣ（キー入力部１３における入力切り替えキー１３ｃ）であり、これらのリモコンボタンを押すと該当する外部機器の映像・音声入力が選択され、テレビ受信機２で表示・再生される。
【００４８】
なお、上述の実施の形態では、電子機器がテレビ受信機である例を挙げて説明したが、ＡＶ（Audio  Visual）アンプ、ＡＶセレクターなどの他の電子機器でもよい。
【００４９】
以上、詳述したように、本実施の形態に係る電子機器に接続された外部機器の接続情報認識システムは、入力部７の各入力端子（１），（２），（３）から映像・音声のソースを選択する信号検出経路選択部４と、通信部８を介し外部機器２０，３０に対して機器情報送信要求と接続された入力端子を判別するための接続端子判別信号の出力要求とを送信する制御部５と、を備えるテレビ受信機２と、機器情報送信要求を受けて機器情報をテレビ受信機２に送信し、接続端子判別信号の出力要求を受けて接続端子判別信号を映像・音声ケーブルを介してテレビ受信機２へ送信する外部機器２０，３０と、テレビ受信機２と通信可能に接続され、テレビ受信機２に接続された外部機器２０，３０の接続情報を表示する表示部１２を備えるリモコン装置１０と、を有するので、テレビ受信機などの電子機器のリモコン装置の表示部に、外部機器の接続状態に対して自動的に連動した表示ができるようにすることができる。
【００５０】
また、本実施の形態に係る電子機器に接続された外部機器の接続情報認識方法は、テレビ受信機２の通信部８の全通信端子をスキャンして、何れかの通信端子に新たに外部機器２０（３０）が接続されたか否かを検出するステップと、通信部８を介して機器情報送信要求を新たに接続された外部機器２０（３０）に対して送信するステップと、外部機器２０（３０）が接続された入力端子を判別するために、外部機器２０（３０）に接続端子判別信号の出力要求を送信するステップと、電子機器２の全入力端子を順番に選択して、出力要求に応じて外部機器２０（３０）から出力された接続端子判別信号が含まれている入力端子を検出するステップと、機器情報送信要求に応じて外部機器から出力された機器情報と接続された入力端子名とを含む接続情報をリモコン装置１０へ送信し、リモコン装置１０の表示部１２に機器情報を表示させるステップと、を含むので、テレビ受信機などの電子機器のリモコン装置の表示部に、外部機器の接続状態に対して自動的に連動した表示ができるようにすることができる。
【図面の簡単な説明】
【００５１】
【図１】本発明の実施の形態に係る電子機器に接続された外部機器の接続情報認識システムの構成図である。
【図２】本発明の実施の形態に係る電子機器に接続された外部機器の接続情報認識方法のテレビ受信機側動作を示すフローチャートである。
【図３】本発明の実施の形態に係る電子機器に接続された外部機器の接続情報認識方法の外部機器側の動作を示すフローチャートである。
【図４】外部機器の接続情報テーブルの一例を示す図である。
【図５】リモコン装置の表示部に表示された表示の一例を示す図である。
【符号の説明】
【００５２】
１  接続情報認識システム
２  テレビ受信機
３  画面表示部
５，１４，２４，３４  制御部
６，１５，２５，３５  記憶部
７  入力部
８，２２，３２  通信部
９  リモコン通信部
１０  リモコン装置
１１  通信部
１２  表示部
１３  入力キー
１３ａ，１３ｂ，１３ｃ  入力切り替えキー
２０，３０  外部機器
２１，３１  信号出力部
２３，３３  コンテンツ送出部
【図１】
2008252326.tif 000003
【図２】
2008252326.tif 000004
【図３】
2008252326.tif 000005
【図４】
2008252326.tif 000006
【図５】
2008252326.tif 000007